(57)【要約】コントローラによる複数の信号フローのライブ操作のための方法であって、第１の信号フローと更なる信号フローとを送り込むことを含み、第１の信号フローと更なる信号フローとの各々がＸ個の信号フローレイヤーを含み、Ｘが２より大きい、方法。本方法は、各信号フローからの信号フローレイヤーを、所定の比に従って信号フローに関連したサブ信号フローのそれぞれのシリーズに分離することを更に含み、各サブ信号フローがＹ個のサブ信号フローレイヤーを含み、ＹがＸより小さい。本方法は、コントローラにより第１の信号フローと更なる信号フローとの間の所望の比を読み取ることを含む。本方法は、サブ信号フローの修正されたシリーズを取得するために所望の比に従って対応するサブ信号フローを併合することを含む。本方法は、修正されたシリーズを送り出すことを含む。【選択図】  図１
2021530131.tif 000002
【特許請求の範囲】
【請求項１】
コントローラによる複数の信号フローのライブ操作のための方法であって、
第１の信号フローと更なる信号フローとを送り込むステップであり、前記第１の信号フローと前記更なる信号フローとの各々がＸ個の信号フローレイヤーを含み、Ｘが２より大きい、送り込むステップと、
各信号フローからの前記信号フローレイヤーを、所定の比に従って前記信号フローに関連したサブ信号フローのそれぞれのシリーズに分離するステップであり、各サブ信号フローがＹ個のサブ信号フローレイヤーを含み、ＹがＸより小さい、分離するステップと、
コントローラにより前記第１の信号フローと前記更なる信号フローとの間の所望の比を読み取るステップと、
サブ信号フローの修正されたシリーズを取得するために、前記所望の比に従って対応するサブ信号フローを併合するステップと、
修正された前記シリーズを送り出すステップと、
を含む、方法。
【請求項２】
前記信号フローが、オーディオフローであり、前記信号フローレイヤーが、サラウンドオーディオを実現するために、空間内の異なるラウドスピーカーに送信されるように設けられているオーディオチャンネルである、請求項１に記載の方法。
【請求項３】
前記信号フローが、マスタリングされたオーディオフローである、請求項２に記載の方法。
【請求項４】
併合する前記ステップの前に処理ユニットにおいて前記サブ信号フローを同期させるステップを更に含む、請求項１〜３のいずれか一項に記載の方法。
【請求項５】
同期フローが、前記処理ユニットにおいて動作し、同期させる前記ステップが、各サブ信号フローを前記同期フローと同期させることにより実施される、請求項４に記載の方法。
【請求項６】
前記コントローラが、前記シリーズからのそれぞれのサブ信号フローに動作可能に結合される音量制御部を備え、送り出す前記ステップが、対応する前記音量制御部の設定に関連した音量で送り出すことを更に含む、請求項１〜５のいずれか一項に記載の方法。
【請求項７】
所定の期間にわたって延在し繰り返し反復される音量パターンが定義され、修正された前記シリーズからの各サブ信号フローレイヤーに対する前記音量パターンが、異なる開始点をもち、前記コントローラが、前記サブ信号フローに動作可能に結合されるパターンコントローラを更に備え、送り出す前記ステップが、前記パターンコントローラの設定と、対応する前記音量パターンとの積に更に関連した音量で送り出すことを更に含む、請求項１〜６のいずれか一項に記載の方法。
【請求項８】
デバイスであって、
複数の信号フローのライブ操作のために構成された処理ユニットと、
第１の信号フローと少なくとも１つの更なる信号フローとの間の所望の比を読み取るように構成されたコントローラと、
を備え、
前記コントローラが、前記処理ユニットに動作可能に接続されており、
前記処理ユニットが、前記第１の信号フローを送り込むように構成された第１のインフィードと、少なくとも１つの前記更なる信号フローを送り込むための少なくとも１つの更なるインフィードと、を備え、各信号フローがＸ個の信号フローレイヤーを含み、Ｘが２より大きく、
前記処理ユニットが、各信号フローからの前記信号フローレイヤーを、所定の比に従って前記信号フローに関連したサブ信号フローのそれぞれのシリーズに分離するように構成されたセパレータを更に備え、各サブ信号フローがＹ個のサブ信号フローレイヤーを含み、ＹがＸより小さく、
前記処理ユニットが、サブ信号フローの修正されたシリーズを取得するために、前記所望の比に従って対応するサブ信号フローを併合するように構成されたミキサーを更に備え、
前記処理ユニットが、修正された前記シリーズを送り出すように構成されたアウトフィードを更に備える、デバイス。
【発明の詳細な説明】
【分野】
【０００１】
本発明は、コントローラによる複数の信号フローの操作に関し、より詳細には聴く者にとってより良いオーディオ体験を実現することを目的とした、コントローラによる複数の信号フローの操作に関する。
【背景】
【０００２】
知られている限りでは、あらゆる時代のあらゆる文化で音楽が認められている。音楽には、感性や感情を呼び起こすことができる性質がある。音楽は、様々な場所、様々な背景において使用され、典型的にはその場面において体験を向上させる働きをする。
【０００３】
最も一般的に使用されるオーディオフォーマットはステレオである。ステレオ音楽は左信号と右信号との２トラックオーディオ信号からなることが知られている。左信号及び右信号は再生デバイスからそれぞれの左ラウドスピーカー及び右ラウドスピーカーに別々に送信される。コンサート、ダンスパーティー、フェスティバルなどの場面において、ミュージシャン及び／又はアーティスト及び／又はＤＪが、結果的に聴く者の体験に影響を与えるためにステレオオーディオ信号を操作する。
【０００４】
映画業界の場合には、５．１（又は他の）「サラウンドサウンド」の使用が確立されており、６つの（又は異なる数の）チャンネル、より詳細には左、右、左後ろ、右後ろ、中心、低周波数効果（ＬＦＥ：Ｌｏｗ−Ｆｒｅｑｕｅｎｃｙ  Ｅｆｆｅｃｔ）のチャンネルが使用される。このことが、様々な方向から聴き手にアプローチするための、より広い空間的広がりをもたらす。より広い空間的広がりは体験を向上させる。
【０００５】
本発明の目的は、オーディオを再生するときの、より高いエンターテインメント的な価値を獲得することを目的として信号フローを操作するための方法及びデバイスを提供することである。
【発明の概要】
【０００６】
本発明は、この目的のために、コントローラによる複数の信号フローのライブ操作のための方法であって、第１の信号フローと更なる信号フローとを送り込むステップであり、第１の信号フローと更なる信号フローとの各々がＸ個の信号フローレイヤーを含み、Ｘが２より大きい、送り込むステップと、各信号フローからの信号フローレイヤーを、所定の比に従って信号フローに関連したサブ信号フローのそれぞれの系列（series、シリーズ）に分離するステップであり、各サブ信号フローがＹ個のサブ信号フローレイヤーを含み、ＹがＸより小さい、分離するステップと、コントローラにより第１の信号フローと更なる信号フローとの間の所望の比を読み取るステップと、サブ信号フローの修正されたシリーズを取得するために、所望の比に従って対応するサブ信号フローを併合するステップと、修正されたシリーズを送り出すステップと、を含む方法を提供する。
【０００７】
本発明の文脈内において、操作は、フローをミキシングすることとして定義される。操作は、任意選択で、フローのテンポ及び／又はピッチを調節することと、更なるサウンドフラグメントを挿入することと、フローにエフェクトを追加することとのうちの少なくとも１つを更に備える。エフェクトはフローの適応であり、例えば、フランジャー、ゲイン、ディレイ、リバーブ、フェイザーなどであることが当業者に明らかとなる。
【０００８】
ライブオーディオファイルを操作することは、聴く者の体験を向上させることが見出されている。実際にはＤＪは、現在のオーディオ機器の制限に起因して、ステレオファイルを操作することに制限される。現在のオーディオ機器は、典型的には、同時に最大２つのオーディオトラックに対する処理をサポートしている。現在のソフトウェア・ハードウェアの制限が原因となり、ＤＪは現在の技法を使用してライブサラウンドオーディオを再生すること、及び操作することができない。これは、サラウンドオーディオファイルが２つより多いオーディオトラックからなるからである。本発明による方法は、サラウンドオーディオが既存のソフトウェア及びハードウェアを使用して再生されること、及び操作されることを可能にする。ＤＪはライブ環境においてサラウンドサウンドを再生及び適応させることができるので、聴く者にとってより良いオーディオ体験が実現される。
【０００９】
Ｘ個の信号フローレイヤーを各々が含む第１の信号フローと更なる信号フローとを送り込むことが、本方法の開始点を形成する。現在のソフトウェア・ハードウェアの制限は、Ｙ個のサブ信号フローレイヤーが処理されることを可能にするだけである。本発明は、Ｘ個の信号フローレイヤーを分離することにより、更に処理され得るＹ個のサブ信号フローレイヤーを含むフローが取得されるという洞察に基づく。これは、特にＸ個の信号フローレイヤーがＹ個のサブ信号フローレイヤーより多い場合に、Ｘ個の信号フローレイヤーが既存のハードウェア及びソフトウェアを使用して処理されることを可能にする。本方法は、ソフトウェア・ハードウェアの能力が将来的に向上し、それによりＹが増加した場合、本原理が適用可能であり続けることを可能にすることが明らかである。
【００１０】
音楽は次元をもち、従来、一般的に使用される技法はモノラルで再生することである。本用語は、すべてのサウンドが単一のチャンネルを通して伝えられること、及び再現されることを示すために使用される。モノラルサウンドは、音楽の第１の次元である。モノラルとは対照的に、人間は当然にステレオで聞く。人間は２つの耳をもち、２つの、すなわち左右の異なる信号を受信することを可能にする。ステレオは音楽の第２の次元（２Ｄ）である。２つより多い信号フローレイヤーを含む信号フローを提供することは、複数の方向から聴く者にアプローチすることを可能にする。しかし、２つより多い信号フローレイヤーを含む信号フローは、ステレオ機器を使用して操作されることができない。２つより多い信号フローレイヤーを含む信号フローを提供することにより、本方法はサラウンドサウンドファイルを再生する選択肢を提供する。本方法は２Ｄ体験を多次元の高みに向上させる。本方法は５．１又は７．１フォーマットに限定されず、原理的に更に拡張され得ることが明らかである。ソフトウェア及びハードウェアが例えば将来的に５．１フォーマットをサポートするという仮想的な例では、本発明は、より多くの次元をもつ音楽を再生すること、及び操作することに依然として適用可能である。
【００１１】
各信号フローからのＸ個の信号フローレイヤーを、所定の比に従って信号フローに関連した、Ｙ個のサブ信号フローレイヤーを含むサブ信号フローのそれぞれのシリーズに分離することは、ソフトウェア及びハードウェアにおいてＸ個の信号フローレイヤーを含むオーディオを処理することを可能にする。サブ信号フローの各々が、Ｙ個のサブ信号フローレイヤーを含む。本例において、Ｙがハードウェア及び／又はソフトウェアの制限に応じて選択されることが明らかである。これらのサブ信号フローレイヤーは、次にコントローラによる入力に基づいて操作され得る。
【００１２】
第１の信号フローと更なる信号フローとの間の所望の比は、コントローラにより読み取られ得る。これは、ＤＪが２つ以上の信号フローの操作に影響を与えることを可能にする。
【００１３】
対応するサブ信号フローは、サブ信号フローの修正されたシリーズを取得するために、所望の比に従って併合される。処理ユニットはハードウェア及びソフトウェアにより処理され得るＹ個のサブ信号フローレイヤーを取り扱うので、この併合が可能である。この手法において、サブ信号フローのシリーズに影響を与えることが可能である。本発明による方法の適用は、結果としてライブパフォーマンス中に聴く者に更なるエンターテインメント的な価値を提供することができるように、多次元の態様と組み合わされたライブ操作を可能にする。
【００１４】
信号フローは、オーディオフローであることが好ましく、信号フローレイヤーは、サラウンドオーディオを実現するために空間内の異なるラウドスピーカーに送信されるように設けられているオーディオチャンネルであることが好ましい。本発明は、いわゆる真のサラウンドを再生する特定の目的に役立つ。本発明はサウンドの位置特定を使用することによりサウンドの空間化の知覚、すなわち、方向及び／又は距離という観点により検出されたサウンドの位置又は発生源を特定する聴き手の能力を高めるので、本発明が有益である。したがって、本方法は、異なるオーディオファイルが異なるラウドスピーカーから再生されることを可能にする。
【００１５】
信号フローは、マスタリングされたオーディオフローであることが好ましい。一般的には、録音セッション中にまず楽器又は人間の声のサウンドを取り込むことにより音楽が作られることが受け入れられている。次に録音が編集され、及び／又はミキシングされ、それにより録音が処理され、適応され、及び／又は、オーディオミックスに組み合わされる。マスタリングと呼ばれる最終段階において、すべての周波数間の比が聴取され、及び／又は可視化され、多様な補助手段によりサウンド修正が行われ得る。マスタリングは、オーディオミックスを一様な全体的なサウンドに仕上げることと定義される。マスタリングされたオーディオフローを使用することにより、本方法は、オーディオフローの改善されたサウンドを提供する。各オーディオフローは、マスタリングによりトーン、バランス、及びダイナミクスに関して既に統合されている。オーディオは、聴く者により良い体験を届けるためにマスタリングされる。
【００１６】
併合するステップの前に、サブ信号フローは、処理ユニットにおいて同期されることが好ましい。手動による同期の代わりとして、処理ユニットにおけるサブ信号フローの同期は、複数のサブ信号フローが、能動的な介入を伴わずに所定のテンポに自動的に移行させられるという利点をもつ。この利点が、突然の、又は中断した瞬間を一切伴わずに、パフォーマンスの遷移及びフレージングを改善する。
【００１７】
同期フローは、処理ユニットにおいて動作することが好ましく、同期させるステップは、各サブ信号フローを同期フローと同期させることにより実施される。同期フローの使用は、単純な手法により異なるサブ信号フローを量子化すること、及びシフトさせること、又は、相互に接続することにより、技術的に単純な手法により実施され得る処理ユニットにおける適応を実現する。
【００１８】
コントローラは、シリーズからのそれぞれのサブ信号フローに動作可能に結合される音量制御部を含み、送り出すステップが、対応する音量制御部の設定に関連した音量で送り出すことを更に含むことが好ましい。このことが、それぞれのサブ信号フローの独立した音量制御を可能にする。
【００１９】
所定の期間にわたって延在し繰り返し反復される音量パターンが定義されることが好ましく、修正されたシリーズからの各信号フローレイヤーに対する音量パターンは、異なる開始点をもち、コントローラは、サブ信号フローに動作可能に結合されるパターンコントローラを更に含み、送り出すステップが、パターンコントローラの設定と、対応する音量パターンとの積に更に関連した音量で送り出すことを更に含む。音量パターンは各サブ信号フローレイヤーに対して提供されるので、それぞれのラウドスピーカーの音量は、修正されたシリーズが送り出されたとき、対応する音量パターンに従う。各サブ信号パターンが異なる点において始まる音量パターンを含む場合、結果としてそれぞれのラウドスピーカーの各々がこの音量パターンに従い、後に、ラウドスピーカーが、より大きい、及びより静かなサウンドを出射する。異なるラウドスピーカーとの組み合わせは、聴き手の知覚の観点から、サウンドがラウドスピーカーからラウドスピーカーへと空間を通して動くことをもたらす。
【００２０】
本発明は、信号フローのライブ操作のために構成された処理ユニットと、第１の信号フローと少なくとも１つの更なる信号フローとの間の所望の比を読み取るように構成されたコントローラと、を備えるデバイスを更に提供し、コントローラは、処理ユニットに動作可能に接続されている。
【００２１】
処理ユニットは、第１の信号フローを送り込むように構成された第１のインフィードを含み、及び、少なくとも１つの更なる信号フローを送り込むための少なくとも１つの更なるインフィードを含み、各信号フローがＸ個の信号フローレイヤーを含み、Ｘが２より大きい。処理ユニットは、各信号フローからの信号フローレイヤーを、所定の比に従って信号フローに関連したサブ信号フローのそれぞれのシリーズに分離するように構成されたセパレータを更に含み、各サブ信号フローがＹ個のサブ信号フローレイヤーを含み、ＹがＸより小さい。処理ユニットは、サブ信号フローの修正されたシリーズを取得するために、所望の比に従って対応するサブ信号フローを併合するように構成されたミキサーを更に含む。処理ユニットは、修正されたシリーズを送り出すように構成されたアウトフィードを更に含む。
【００２２】
コントローラによる信号フローのライブ操作のための方法に関連した利点及び特徴は、本発明によるデバイスにも当てはまる。
【図面の簡単な説明】
【００２３】
本発明は、図面に示される例示的な実施形態を参照しながら更に説明される。
【図１】図１は、本方法の全体的なフローを示す図である。
【図２】図２は、本方法のフローの代替的な実施形態を示す図である。
【図３】図３は、本方法のフローの代替的な実施形態を示す図である。
【００２４】
同一又は類似の要素は同じ参照符号を使用して図面に示される。
【００２５】
本説明の文脈では、マスタリングは、オーディオミックスを一様な全体的なサウンドに仕上げることとして定義される。
【００２６】
本説明の文脈では、次元が信号フローのレイヤー数に従って更に定義される。各信号フローは所定の数のレイヤーを含む。オーディオに関して、空間内の異なる位置に異なるレイヤーを送信することが知られている。モノラルサウンドが一次元（１Ｄとも表記される）を含むこと、及び、２つのレイヤーを含むステレオが二次元（２Ｄ）を含むこと、及び、５．１サラウンドオーディオが６次元（６Ｄ）を含むことは当業者に明らかである。
【００２７】
本説明の文脈では、コントローラは、物理的入力に基づいて信号を送信するデバイスとして更に定義される。コントローラがコンピュータマウス、タッチパッド、キーボード、ミュージカルインスツルメントデジタルインターフェース（ＭＩＤＩ：Ｍｕｓｉｃａｌ  Ｉｎｓｔｒｕｍｅｎｔ  Ｄｉｇｉｔａｌ  Ｉｎｔｅｒｆａｃｅ）デバイスなどのうちの任意の１つであり得ることが当業者に明らかである。本例においてコントローラが上述の例に限定されないことが当業者に明らかである。
【００２８】
図１は、コントローラ１５による複数の信号フロー１ａ、１ｂ、・・・のライブ操作の方法の全体的なフローを示す。信号フロー１ａ、１ｂ、・・・は、典型的には、処理ユニット９に送り込まれる。図１における信号フロー１ａ、１ｂ、・・・は、サラウンドオーディオフローであり、より詳細には５．１サラウンド形態である。信号フロー１ａ、１ｂ、・・・の各々が、６つの信号フローレイヤー２ａ、２ｂ、・・・を含む。５．１サラウンドオーディオの場合、これらのチャンネルは、典型的には、左、右、中心、左後ろ、右後ろ、及びＬＦＥ信号のために使用される。本方法が２つより多い信号フロー１ａ、１ｂ、１ｃ、１ｄなどのライブ操作を更に提供することが当業者に明らかである。
【００２９】
図１は、信号フロー１ａ、１ｂ、・・・が所定の比に従って複数のサブ信号フロー３ａ１、３ａ２、３ａ３、及び、３ｂ１、３ｂ２、３ｂ３に分離されることを更に示す。信号フローをサブ信号フローに分離する場合において、所定の分割に従って分離することを指すことも可能である。サブ信号フローの各々が２つのサブ信号フローレイヤーを含む。この実施形態では、信号フロー１ａ、１ｂは、５．１フォーマットに従って３つのサブ信号フロー３ａ１、３ａ２、３ａ３、及び、３ｂ１、３ｂ２、３ｂ３−左、右−ＬＦＥ、中心−左後ろ、右後ろ−に分離される。ここで、サブ信号フロー、左・右は３ａ１と表され、ＬＦＥ・中心は３ａ２と表され、左後ろ、右後ろは３ａ３と表される。各サブ信号フロー３ａ１、３ａ２、３ａ３、及び、３ｂ１、３ｂ２、３ｂ３は、２つのサブ信号フローレイヤー４ａ１、４ａ２、４ａ３、４ａ４、４ａ５、及び４ａ６を含み、ステレオ信号として更に処理され得る。次に、サブ信号フロー３ａ１は、関連するレイヤーとしてサブ信号フローレイヤー４ａ１、４ａ２を含む。この実施形態では、サブ信号フローレイヤー４ａ１、４ａ２が、それぞれ左サウンド信号及び右サウンド信号に対応する。サブ信号フロー３ａ２は関連するレイヤーとしてサブ信号フローレイヤー４ａ３、４ａ４を含み、更に、サブ信号フロー３ａ３は関連するレイヤーとしてサブ信号フローレイヤー４ａ５、４ａ６を含む。この実施形態はハードウェア及び／又はソフトウェアがステレオオーディオファイルを処理すること、言い換えると、２つのレイヤーを処理することができることを前提とするので、本実施形態では２つのサブ信号フローレイヤーを含むサブ信号フローのシリーズに分離することが選択されている。
【００３０】
図１は、サブ信号フロー３ａ１、３ａ２、３ａ３、及び、３ｂ１、３ｂ２、３ｂ３への信号フロー１ａ、１ｂ、・・・の分離後、（信号フロー１ａに対応する）サブ信号フロー３ａ１、３ａ２、３ａ３が同時にトリガーされること１８、並びに（信号フロー１ｂに対応する）サブ信号フロー３ｂ１、３ｂ２、３ｂ３が同時にトリガーされること１９を更に示す。処理中にサブ信号フローのシリーズが時間的に互いに結合されたままとなるように、サブ信号フローの各シリーズは束として更に処理される。
【００３１】
図１は、異なるサブ信号フロー３ａ１、３ａ２、３ａ３、及び、３ｂ１、３ｂ２、３ｂ３が、コントローラ１５により所望の比１１に従って、サブ信号フローの修正されたシリーズ５１、５２、５３に併合されること１２を更に示す。３ａ１は３ｂ１とともにサブ信号フロー５１へと併合され、３ａ２は３ｂ２とともに５２へと併合されるなどする。３ａ３は３ｂ３とともにサブ信号フロー５３に併合される。修正されたサブ信号フロー５１、５２、５３は、関連するサブ信号フローレイヤー６１、６２、６３、６４、６５及び６６を含む。
【００３２】
サブ信号フローの修正されたシリーズ５１、５２、５３は、処理ユニット９により送り出される。送り出された後、修正されたサブ信号フローは、ラウドスピーカーにより再生され得る。
【００３３】
図１の示される実施形態では、サブ信号フローの修正されたシリーズ５１、５２、５３が送り出される。サブ信号フローの修正されたシリーズ５１、５２、５３が処理ユニット９においてサラウンドオーディオファイル７に更に併合され得ることが当業者に明らかである。したがって、サラウンドオーディオファイル７は、修正されたサブ信号フローレイヤー８１、８２、８３、８４、８５及び８６を含む。
【００３４】
図２は代替的な実施形態を示し、信号フロー１ａ、１ｂ、・・・が、処理ユニット９に送り込まれる８つの信号フローレイヤー２ａ、２ｂ、・・・を含む。図２における信号フローは、２つのサブ信号フロー３ａ１、３ａ２に分離される。代替的な実施形態は、分離が信号フローレイヤーの所定の比／分割に従って行われることを示す。図１のサブ信号フロー３ａ１は５つのサブ信号フローレイヤー４ａ１〜４ａ５を含む。サブ信号フロー３ａ２は３つのサブ信号フローレイヤー４ａ６〜４ａ８を含む。この実施形態では、本発明が代替的なコンテキストに更に適用され得ることを例示するために、それぞれ５つのサブ信号フローレイヤー及び３つのサブ信号フローレイヤーを含むサブ信号フローのシリーズに分離することが選択されている。この代替的なコンテキストでは、ハードウェア及び／又はソフトウェアが５つのフローレイヤーを含むサブ信号フローを処理することができることが仮想的に前提とされる。この代替的なコンテキストがより広範囲にわたるハードウェア及び／又はソフトウェアの理論的な、及び純粋に仮想的なコンテキストであることが明らかである。この代替的な実施形態は、ハードウェア及び／又はソフトウェアの将来的な発展の可能性を示す役割を果たすにすぎない。
【００３５】
この代替的な実施形態では、全部で５つのフローレイヤーが取得されるように、３つの信号フローレイヤーを含むサブ信号フローのシリーズが２つの空の信号フローを含み得ることが当業者に明らかである。したがって、第１のサブ信号フロー及び第２のサブ信号フローの各々が５つのサブ信号フローレイヤーを含み、したがって、依然として処理ユニットにより一様に処理され得る。
【００３６】
図２は、処理ユニット９において動作する同期フロー１０を更に示す。同期フロー１０を使用したサブ信号フローの同期は２つの態様を含む。第１の態様は、フローを同数のビートパーミニット（ＢＰＭ（ｂｅａｔｓ  ｐｅｒ  ｍｉｎｕｔｅ）とも呼ばれる）に移行させる。同期フローはユーザーにより決定されたテンポで動作し、このテンポがビートパーミニット（ＢＰＭ）の数を決定する。この実施形態では、これは１２０ＢＰＭであると仮定される。各信号フローは、同じビートパーミニット（ＢＰＭ）をもつように伸ばされ、又は圧縮され得る。この原理は当業者に知られており、したがって、更に説明されない。同期フローのテンポが知られた後、処理ユニットは、サブ信号フロー３ａ１、３ａ２、３ｂ１及び３ｂ２を所定のテンポに自動的に移行させる。
【００３７】
第２の態様は、ビートの整列に関連している。この態様は、サブ信号フローが同期フローに対して同じテンポ特性に移行させられた後に関連する。より詳細には、サブ信号フローが同期フローの特性ビートと自動的に整列される。整列後、サブ信号フロー３ａ１及び３ａ２は、時点ｔ１の点において同期フロー１０に自動的に従い始める。次に、時点ｔ２の点において、サブ信号フロー３ｂ１及び３ｂ２が、併合するステップ１２の前に同期フロー１０と同期される。
【００３８】
サブ信号フロー３ａ１、３ａ２、３ｂ１及び３ｂ２は、同期により所定のテンポに移行させられる。言い換えると、サブ信号フローは、同じ速度（ビート・パー・ミニット（ＢＰＭ）とも呼ばれる）に移行させられる。同期、更には特に、整列の結果として、サブ信号フロー３ａ１、３ａ２、３ｂ１及び３ｂ２が時点ｔ２の点において同期された手法により同時に動作し、それによりＤＪは、コントローラにより、単純な手法により遷移を制御し得る。サブ信号フロー３ａ１、３ａ２が同期フロー１０と同期された後、各サブ信号フローは、コントローラ１５によりオーディオ信号を再生することへとトリガーされ得る１８。サブ信号フロー３ｂ１及び３ｂ２の同期の後、これらのサブ信号フローの各々も、コントローラ１５により同時にトリガーされ得る１９。
【００３９】
図２は、異なる同期されたサブ信号フロー３ａ１、３ａ２、及び、３ｂ１、３ｂ２，３がコントローラ１５からの入力に基づいて、処理ユニット９により所望の比１１に従って、サブ信号フローの修正されたシリーズ５１、５２に併合されること１２を更に示す。所望の比１１は、本例では信号フロー間の所望の音量比に関連している。３ａ１は３ｂ１とともにサブ信号フロー５１に併合され、３ａ２は３ｂ２とともに５２に併合される。修正されたサブ信号フロー５１、５２は、関連するサブ信号フローレイヤー６１、６２、６３、６４を含む。修正されたサブ信号フローの各々は、所望の音量比でサブ信号フローを含む。
【００４０】
図２は、サブ信号フローが処理ユニット９から直接送り出され得ることを更に示す。
【００４１】
図３は、信号フロー１ａ、１ｂ、・・・が処理ユニット９に送り込まれる更なる代替的な実施形態を示す。図３における信号フロー１ａ、１ｂ、・・・は７．１オーディオフローである。信号フロー１ａ、１ｂ、・・・の各々が８つの信号フローレイヤー２ａ、２ｂ、・・・を含む。７．１サラウンドオーディオでは、これらのチャンネルは、典型的には左、右、中心、左後ろ、右後ろ、及びＬＦＥ、並びに高さ調節ラウドスピーカー信号のために使用される。各サブ信号フロー３ａ１、３ａ２、３ａ３、３ａ４、及び、３ｂ１、３ｂ２、３ｂ３、３ｂ４は、２つのサブ信号フローレイヤー４ａ１、４ａ２、４ａ３、４ａ４、４ａ５、４ａ６、４ａ７、４ａ８を含む。したがって、サブ信号フロー３ａ１は関連するレイヤーとしてサブ信号フローレイヤー４ａ１、４ａ２を含む。この実施形態では、サブ信号フローレイヤー４ａ１、４ａ２は、それぞれ左サウンド信号及び右サウンド信号に対応する。
【００４２】
図３は、コントローラ１５が所望の比１３ａ、１３ｂを読み取る１１ことを更に示す。比１３ａは、本例では、第１の信号フロー１ａと更なる信号フロー１ｂとの間の音量比であり、比１３ｂは１３ａの逆数である。所望の比１３ａ、１３ｂが読み取られた１１後、サブ信号フローは、比１３ａ、１３ｂに従って併合され得る１２。
【００４３】
代替的な実施形態において、図３は、コントローラ１５がそれぞれのサブ信号フロー５１、５２、５３、５４に動作可能に結合される音量制御部１６を含むことを更に示す。ＤＪ（ディスクジョッキー）又はアーティストは、音量制御部１６により、それぞれのラウドスピーカーに対する個々の出力の各々を制御し得る。音量制御部は、例えば、回転ノブ、スライド、又は感圧スイッチであり得る。ＤＪは、前方の左ラウドスピーカー及び右ラウドスピーカーの音量を制御し得、又は代替的に、サブ信号フロー５１に関連した音量制御部によりそれらを完全にオフにスイッチングし得る。これは、各サブ信号フローに対して同時に、又は別々に起こり得ることが明らかである。更にＤＪが音量だけでなく音量以外も制御し得ることが当業者に明らかである。ＤＪは、周波数帯域に影響を与えることにより各サブ信号フローに関連した音色を更に制御し得る。周波数帯域は、典型的には、高（又はトレブル）、中、及び低（又はバス）に分離される。
【００４４】
図３は、代替的な実施形態において、コントローラが、修正されたサブ信号フローレイヤーの各々におけるパターン１７を定義し得ることを更に示す。図２は、特に、繰り返し反復される音量パターン１７ａ１、１７ａ２、・・・が定義される一実施形態を示す。代替的な実施形態において、正弦波音量パターンが示される。音量パターン１７ａ１は音量パターン１７ａ２、１７ａ３などとは異なる開始点をもつ。任意のパターンが、修正されたサブ信号フローレイヤーに適用され得ることが明らかである。パターンは、例えば音色パターンでもあり得る。それは、代替的に、繰り返し反復されないパターンに対しても可能である。
【００４５】
信号フローは、例えば、ドルビーサラウンド、ドルビーサラウンドＥｘ、ドルビーアトモス、ＤＴＳ、ＤＴＳ−ＥＳ、Ａｕｒｏ  ３Ｄ、ＳＤＤＳフォーマットを含み得る。任意の他の形態のサラウンドオーディオを操作することも可能である。
【００４６】
図１の示される実施形態では、６チャンネルサラウンドサウンドオーディオファイルが示される。図３に示されるように、７．１、１０．２、１１．１、２２．２サラウンドサウンドオーディオファイル、又はその変形例が、更に操作され得ることが当業者に明らかである。
【００４７】
サブ信号フローが任意のオーディオコーディングフォーマットを含み得ることが当業者に明らかである。サブ信号フローは、例えば、ＭＰ３、ＷＡＶ、ＡＡＣに変換され得るが、それらに限定されない。
【００４８】
当業者は、上述の説明に基づいて、本発明が様々な手法により、及び、様々な原理に基づいて具現化され得ることを理解する。本発明は、本明細書において上記の実施形態に限定されない。上記の実施形態及び図は、単に例示であるにすぎず、本発明の理解を深める役割を果たすにすぎない。したがって、本発明は本明細書において説明されている実施形態に限定されず、特許請求の範囲において定義される。
【図１】
2021530131.tif 000003
【図２】
2021530131.tif 000004
【図３】
2021530131.tif 000005
【国際調査報告】
2021530131.tif 000006
2021530131.tif 000007